(57)【要約】【課題】  多層ディスクにおいて、既存の光ディスク媒体の構造を変えずに、層移動時における目標層と到達層との誤りを高速且つ確実に検出すること。【解決手段】  多層ディスクにおいて、任意の領域の範囲内に記録を行い、該領域をデータ記録再生時の層移動処理及び目標層に正確に移動したかを判定する確認処理に利用する。又、該層移動に利用した領域を記録が不可能な領域であることを、論理的に光ディスクに登録する。これにより、層移動時における目標層と到達層との誤りを高速且つ確実に行える。【選択図】図１
2008299946.tif 000002
【特許請求の範囲】
【請求項１】
記録層が複数層ある光ディスク媒体に記録再生する光ディスクドライブ装置において、
前記光ディスク媒体にレーザを照射し記録再生を行う記録再生素子を備え、
前記記録再生素子で前記光ディスク媒体の任意の範囲領域内に記録を行い、
前記領域をデータ記録再生時の前記記録再生素子から照射されるレーザの光スポットの層移動に利用することを特徴とする光ディスクドライブ装置。
【請求項２】
請求項１に記載の光ディスクドライブ装置において、
前記領域を、記録が不可能な領域であることを、論理的に光ディスクに登録することを特徴とする光ディスクドライブ装置。
【請求項３】
請求項１に記載の光ディスクドライブ装置において、
前記領域は、各層共に、光ディスクの特定の半径方向の範囲内に配置することを特徴とする光ディスクドライブ装置。
【請求項４】
請求項１に記載の光ディスクドライブ装置において、
前記領域のアドレス情報を、該光ディスク媒体にデータとして記録することを特徴とする光ディスクドライブ装置。
【請求項５】
請求項３記載の光ディスクドライブ装置において、
前記領域は、各層毎、別々の半径方向位置であることを特徴とする光ディスクドライブ装置。
【請求項６】
請求項１に記載の光ディスクドライブ装置において、
前記領域において、記録された箇所と未記録の箇所との反射光の信号レベルの違いを指標とすることで、データ記録再生時の層移動をすることを特徴とする光ディスクドライブ装置。
【請求項７】
記録層が複数層ある光ディスク媒体に記録再生する光ディスクドライブ装置において、
前記光ディスク媒体にレーザを照射し記録再生を行う記録再生素子を備え、
前記記録再生素子で前記光ディスク媒体の任意の範囲領域内に記録を行い、
データ記録再生時の前記記録再生素子から照射されるレーザの光スポットの層移動の際に、前記領域を目標とした層が実際に到達した層であるかの判断をすることに利用することを特徴とする光ディスクドライブ装置。
【請求項８】
請求項7に記載の光ディスクドライブ装置において、
前記領域において、記録された箇所と未記録の箇所との反射光の信号レベルの違いを指標とすることで、目標とした層が実際に到達した層であるかの判断をすることに利用することを特徴とする光ディスクドライブ装置。
【発明の詳細な説明】
【技術分野】
【０００１】
本発明は、データの記録、再生ができるデータ記録層が複数層ある光ディスクの層移動技術に関わる。
【背景技術】
【０００２】
例えば、特許文献1では「ウォブル変調方式として高い復調性能をもち、かつ復調回路の共通化が可能なＦＳＫ方式やＰＳＫ方式を用いて層判別を行うことのできるディスクフォーマットで回路の大幅な増大なしに、またリトライによる長い待ち時間を要することも無く確実に層判別を行うことのできるようにする」技術が開示されている。
【０００３】
【特許文献１】特開２００５−８５４３７号公報
【発明の開示】
【発明が解決しようとする課題】
【０００４】
近年、ハイビジョン映像放送の普及などに伴い、該映像データを光ディスクに保存するに耐えうる、光ディスクの記録容量増大化が進んでいる。光ディスクの記録容量増大化の手段として、一枚の光ディスクにデータの記録、再生ができるデータ記録層を多層に配置する方法があり、これにより光ディスクの記録容量を増大する光ディスクの開発が進められている。
【０００５】
上述したデータの記録、再生ができるデータ記録層を複数層有する光ディスク（以後、多層ディスクと呼ぶ。）を使用するにあたり、データ記録再生時の層移動処理として、目標の層にレーザ光のスポットを合焦させるサーボ技術が必要となる。
【０００６】
光スポットを目標層の合焦位置にひきこみ、合焦位置を保つ方法としては、ディスクからの反射光から、目標層に対する光スポットの合焦位置とのズレ量を表す信号であるフォーカスエラー信号を生成し、該信号に基づいて、フィードバック制御をするフォーカスサーボ制御をする方法が一般的である。
【０００７】
よく知られている方法では、光スポットが目標層付近をよぎる時に、フォーカスエラー信号がS字カーブを描くので、これを利用している。非合焦状態から、合焦状態に光スポットを引き込む際には、S字カーブがリニアな領域となるタイミング又は、ゼロクロスするタイミングに合わせ、レーザを発光する記録再生素子の位置を制御し、光スポットを合焦位置に引き込む。その後は、常時フィードバック制御をかけて合焦位置を保つ。
【０００８】
又、多層ディスクの場合における記録・再生のための層移動時には、記録再生素子を移動させ、レーザの光スポットを現在層から目標層側に移動させた時に現れるS字カーブを頼りに、目標層に合焦させる。  そのため、目標とする層へ確実に移動するためには、光スポットを移動させた時に現れる、S字カーブの品質や信頼性が重要となる。
【０００９】
ところが、ディスクの面ぶれが大きい場合、同一の層において光スポットが二度よぎる場合が考えられ、層を移動する時に本来検出するはずのS字カーブの数より多くのS字カーブを検出する可能性がある。
【００１０】
上述したことが起きると、S字カーブの数を誤検出したことにより、目標層に移動したつもりが、実際は異なる層に移動してしまう場合が起こりうる。
【００１１】
上述の例があるため、多層ディスクでは、データ記録再生時の層間移動時において、移動後の到達層が目標の層であるかを確かめる必要がある。
【００１２】
層移動後に到達した層が、層移動の目標の層であるかを確かめる方法としては、到達層における光ディスクのアドレス情報を取得し、取得したアドレスが目標層のアドレスであるかを確認する方法がある。光ディスクのアドレス情報は、光ディスクの案内溝を一定周期でうねらせるウォブル構造に埋め込まれている。よって、光ディスクのアドレス情報を取得するためには、上述のウォブル構造から得られるウォブル信号を取得すれば良い。そのためには、層移動の際には、合焦した層に対し、ディスク半径方向のサーボ制御であるトラッキング制御をすることでサーボ状態を安定させ、ウォブル信号を安定に検出するための準備が必要となる。
【００１３】
特許文献１の技術では、特殊なウォブルをディスク全面に埋め込むこととなり、ディスクの物理構造を変更することとなる。このため、特許文献１の技術を取り入れた光ディスクをサポートするためには、光ディスクドライブ装置側で、特許文献１の技術を取り入れたことで変更された物理構造に新たに対応する必要がある。又、光ディスクに特許文献１の技術が取り入れられる以前に発売された光ディスクドライブ装置は、上記特殊な物理構造をした光ディスクに対応できる製品仕様になっているとは限らず、光ディスクドライブ装置と光ディスクとの互換性が取りにくい。
【００１４】
又、特許文献１に代表されるウォブルからアドレス情報、又は層情報を検出する方法では、ウォブル信号を検出するために、目標層に合焦した後に、必ずトラッキング制御をし、サーボを安定化させなくてはならないため時間を要する。
【００１５】
本発明は、前述の課題を解決するものであり、多層ディスクにおいて、既存の光ディスク媒体の物理構造を変えずに、層移動時における目標層と到達層の誤りを高速且つ確実に検出することができるものである。
【００１６】
さらには、層移動時に、目標層へ到達する可能性を高めることができるものである。
【課題を解決するための手段】
【００１７】
多層ディスクにおいて、任意の領域の範囲内に記録を行い、該領域をデータ記録再生時の層移動処理及び目標層に正確に移動したかを判定する確認処理に利用する。
又、該層移動に利用した領域を記録が不可能な領域であることを、論理的に光ディスクに登録する。
【発明の効果】
【００１８】
多層ディスクの記録再生時における層移動時において、目標層に移動できたかの確認を、高速且つ確実に実行することができる。
【発明を実施するための最良の形態】
【００１９】
以下、本発明の実施形態を図面を用いて説明する。
【００２０】
本発明では、層を判別するための手段として、光ディスク媒体の各層における任意の領域に、レーザを照射することで、未記録部とは反射率の異なる領域を作り、該反射率の異なる領域を、層を判別するための指標として利用する。
【００２１】
図１、図３を用いて上述の実施例を示す。図１は、従来の光ディスク媒体を示したものであり、図１のＡは光ディスク媒体の上面図、図１のＢは光ディスク媒体の断面図、図１のＣは光ディスク媒体の断面図である図１のＢにおける１０２の領域を拡大した図である。  図３は、一般的な光ディスクドライブ装置を簡易的に示したものである。
【００２２】
まずは、光ディスク媒体の各層における任意の領域に、未記録部とは反射率の異なる領域を作る方法について述べる。これは、光ディスクドライブ装置にて、光ディスク媒体にデータを記録する場合と同様の要領で行う。以下に、一般的なデータ記録方法について述べておく。
【００２３】
光ディスク媒体３０１の任意の領域にデータを記録するためには、まず、ドライブ制御システム３０２が、スピンドル機構３０３を制御し、光ディスク媒体３０１を回転させる。そして、ドライブ制御システム３０２は、記録再生素子３０４を制御し、レーザ３０５を記録用のレーザパワーより低い、再生用のレーザパワーで、発光させる。そして、図示しない外部から要求された、光ディスク媒体３０１の記録場所情報（アドレス）に従い、記録再生素子３０４を制御し、レーザ３０５の光スポットを記録目標場所付近へ位置づける。この際、まず矢印３０７の方向、つまり光ディスク媒体３０１と、レーザ３０５のスポット位置を合焦させる方向に、記録再生素子３０４を制御し、光スポットを目標層に合焦させるフォーカスサーボ制御を行い、その後、矢印３０６の方向、つまり光ディスク媒体３０１の半径方向に、光ディスク装着時の偏芯によって生じる光ディスクの回転ムラに追従するための記録再生素子３０４を制御するトラッキングサーボ制御を行う。このように、フォーカスサーボ制御とトラッキングサーボ制御の双方を制御することで、目標のアドレスにて安定にレーザを照射するための準備を整える。その後、ドライブ制御システム３０２は、レーザ３０５を記録用のパワーで発光させるよう記録再生素子３０４を制御し、光ディスク媒体３０１に熱を加え、光ディスク媒体３０１の反射率を変化させることで、所望のデータを記録する。
【００２４】
以上が一般的な、光ディスク媒体３０１へのデータ記録方法である。本発明では、上述の要領で、図１に示す光ディスク媒体１０１の各記録層に、特徴的な記録を行う。以下、本発明での特徴的な部分を示す。
【００２５】
図１に示す光ディスク媒体１０１を用いて、本発明の一例を示す。光ディスク媒体１０１の任意領域を使用し、特徴的な記録を行う。本例では、光ディスク媒体１０１の任意の半径方向の一定範囲１０２を本発明のための領域として使う例である。
【００２６】
図１に示す光ディスク媒体１０１は、多層ディスク媒体の一例として、記録層が、１０３、１０４、１０５、１０６の４層あるディスクを示したものである。本例では、図１のＢに示すように、各層において同一の半径方向の一定範囲１０２を利用し、特徴的な記録を行う。前提として、半径方向の一定範囲１０２は、全層において未記録状態であるとする。
【００２７】
図１のＣは図１のＢに示す光ディスク媒体１０１の断面図の、半径方向の一定範囲１０２の部分を拡大した図である。本例では、半径方向の一定範囲１０２において、各層毎別々の半径位置にて記録を行う。図１のＣに示す例では、層１０３では、１０７の半径方向位置に記録を行い、層１０４では、１０８の半径方向位置に記録を行い、層１０５では、１０９の半径方向位置に記録を行い、層１０６では、１１０の半径方向位置に記録を行ったものである。
【００２８】
図１のCに示すように、半径方向の一定範囲１０２内において、各層にて記録した１０７、１０８、１０９、１１０の半径方向位置が異なるように特徴的に記録をする。
【００２９】
ところで、既に述べたとおりに、記録再生のための層移動は、S字カーブの品質によるところがあり、多層ディスクで層が増す毎に難解さが増す。図２に、記録層が４層ある光ディスクに対して、第１層の合焦位置に収差を合わせた状態で光スポットを層方向に走査し、第１層、第２層、第３層、第４層をよぎる時に観測されるS字カーブの見え方を、それぞれ２０１、２０２、２０３、２０４として表したものを示す。図２に示すように、多層ディスクの場合、現在層と目標層との層間距離が離れすぎてしまうと、光スポットの焦点位置が収差によりずれてしまい、各層をよぎる時に現れるはずのS字カーブの品質が焦点位置から遠ざかるに伴い劣化する。つまり、層移動の際には、現在の焦点位置から離れた層であれば、離れた層であるほど、S字カーブの品質劣化が激しくなり、層移動成功の確実性が下がると言える。
【００３０】
但し、本発明を実行するためには、まず上述の特徴的な記録をすることが前提であり、該特徴的な記録は確実に行う必要がある。そこで、該特徴的な記録を確実に行うための一例を以下に示す。図２は、第一層に合焦している例であるが、第一層に隣接する第二層であれば、Ｓ字カーブの信号品質の劣化は、第三層、第四層の信号品質劣化と比べ少ない。よって、該特徴的な記録を行うための層移動は、一度に複数の層をまたいで移動することなく、隣接する層に一層ずつ確実に移動するようにする。たとえば、１０７、１０８、１０９、１１０に記録を実行するためには、最初に層１０３に合焦している状態であれば、まず１０７を記録する。その後、隣接層である層１０４に合焦し、サーボ安定後に、ウォブルなどから到着層におけるアドレス情報を読み取り、確実に層１０４に合焦していることを確認した上で、１０８に記録を行う。同様に層１０５、層１０６に移動し１０９、１１０を記録すれば良い。本例のように、隣接層に層移動をし、従来方式のようにアドレス情報を取得し、確実に隣接層であることを確認した上で、記録を行えば、本発明の条件である特徴的な記録を確実に行うことができる。但し、本例は一例であるため、特にこの方法にこだわる必要は無い。他の方法で、あらかじめ該特徴的な記録ができる方法があるならば、別の方法でも構わない。
【００３１】
上述のように、まずは、確実に該特徴的な記録を行う。そして、本発明では、該特徴的な記録をした領域を利用し、層移動を行う。
【００３２】
ここで、今まで特に明記しなかった該特徴的な記録における、記録時のパワーについて述べる。本記録の目的は、未記録領域における反射率と、既記録領域における反射率との違いを利用して、未記録の範囲内に記録を行い、マーキングをすることにある。よって、特徴的な記録を行う際には、ある程度未記録領域と既記録領域との反射光レベルの違いがわかるようなパワーで記録をしなければならない。但し、あまりに記録パワーが高すぎる場合は、光ディスク媒体そのものを破壊する恐れがあるため適度なパワーで記録することが好ましい。従来光ディスク媒体にデータを記録するための記録パワーを決定するための処理として、たとえばOPC（Optimum  Power  Calibration）と呼ばれる、記録媒体に応じた適切な記録パワーを算出する処理がある。本発明の特徴的な記録時における記録パワーも、OPCなどによって記録すべき媒体に合わせて算出された適切なパワーで記録をすれば良い。又、検出系の都合で、OPCで算出した記録パワーでは、反射光レベルの差異が見えにくいということであれば、光ディスク媒体を破壊しない程度に、OPCで算出したパワーより高めのパワーを設定すれば良い。
【００３３】
但し、本例は一例であるため、検出系の状況や媒体に応じて、パワーを変更してもかまわない。
【００３４】
さらに、特徴的な記録時における記録パターンについて述べる。本記録では、反射率の変化がわかれば良いので、通常のユーザデータ記録時のように、短いマークから長いマークを使用したパターンで記録する必要は特にない。反射率の変化を大きく見せるために、長いマークのみで構成された特殊パターンで記録をするのも良い。長いマークのみで構成されたような特殊パターンで記録をすれば、該領域がユーザデータ記録でないことが再生信号により判断できるため、特徴的な記録領域を明確化する意味でも、特殊なパターンで記録する方が好ましい。
【００３５】
但し、本例は一例であるため、状況に応じて記録パターンを変えてもかまわない。
【００３６】
次に、該特徴的な記録を施す位置について述べる。図１では一例として、該特徴的な記録範囲を１０２として、ディスクの中心辺りに示しているが、本例のようにディスクの中心辺りに配置する必要はない。ディスクの規格として記録が許されている範囲で且つ、未記録の領域であれば問題はない。但し、配置位置を工夫することによって、光ディスクドライブの制御が簡便になると考えられる。たとえば、該特徴的な記録位置は、ディスクの内周側、又は外周側などに固定配置すると、記録再生素子３０４の位置付けや光ディスクドライブにおける層移動シーケンスが簡素になる。通常、記録再生素子３０４は、光ディスク媒体３０１の内周側に存在する内周センサにより、それ以降の内周側への移動を制限される。これを利用し、内周側に特徴的な記録をすることを組み合わせれば、層移動時にはまず、記録再生素子３０４を内周センサで制限されるまで移動させ、その後内周に存在する特徴的な記録が施された半径方向の一定範囲に位置づけ層移動をする、という一連の動作で層移動が可能となる。内周側に特徴的な記録があることで、記録再生素子３０４が内周センサ制限まで移動した後に、層移動をするまでの時間を短縮することができる。
【００３７】
又、ユーザデータは、連続再生する際には、ユーザデータ領域に連続的に記録がされていることが好ましい。本発明の該特徴的な記録をユーザデータ領域の中心で記録してしまうと、連続的なデータをユーザデータに記録する際に、該特徴的な記録領域をまたいで記録されることがあり得る。本データを再生する際には、再生の途中で、該記録領域をまたいで再生する必要があるため、該記録領域をまたぐ際に、記録再生素子３０４の移動が生じる。これによって、光ディスクドライブの再生速度における影響が出てくる可能性がある。上記例を考慮に入れても、該特徴的な記録は、光ディスク媒体３０１の内周側又は、外周側に寄せて配置することが好ましい。
【００３８】
但し、本例は一例であるため、状況に応じて、特徴的な記録を施す半径方向の一定範囲位置を変えてもかまわない。
【００３９】
次に、特徴的な記録を施した、半径方向の一定範囲１０２を用いた、本発明の層移動方法と層判別の方法を述べる。
【００４０】
層移動方法、層判別方法の一例について、図４のフローチャートを、用いて述べる。
まずは、ドライブ制御システム３０２は、あらかじめ特徴的に記録しておいた各層における記録半径方向位置１０７、１０８、１０９、１１０を管理しており、層移動を開始する際（処理４０１）には、目標とする層において記録がなされている半径方向位置に、記録再生素子３０４を位置づける。（処理４０２）そして、目標層に向け、記録再生素子３０４を、矢印３０７軸の方向に移動させ（処理４０３）、到達した層に対し合焦させる（処理４０４）。合焦方法としては、一般的には背景技術で述べた、フォーカスエラー信号のＳ字カーブを頼りに合焦させるが、特に方法にはこだわる必要はない。合焦したら、記録再生素子３０４へ戻り光である光ディスク媒体３０１の反射光の信号レベルを確認する。（処理４０５）到達した層が、目標の層であれば、該半径方向位置は、既記録状態であるため、反射光の信号レベルは既記録状態のレベルとなる。逆に、反射光の信号レベルが、未記録状態の信号レベルであった場合は、その時点で層移動に失敗したことがわかり、リトライ処理に移ることができる。（処理４０６）ここで、目標層に達していることが確認できた場合は、層移動終了（処理４０７）である。このように、本発明では、レーザ３０５の光スポットが合焦していれば、光の反射光レベルで、目標層か否かの判断をすることが可能となり、従来のように、記録再生素子３０４のトラッキング制御をし、サーボを安定させるまでの時間を省略することが可能である。
【００４１】
ドライブ制御システム３０２が、記録半径方向位置１０７、１０８、１０９、１１０を管理する方法としては、該記録半径方向位置のアドレスを、ディスクにデータとして残しておけば良い。光ディスク媒体１０１への、該アドレス情報保存場所は、光ディスク媒体１０１における、光ディスクドライブ装置がユニークに使用できる領域を使えば良い。
【００４２】
一例を挙げると、Blu-ray Disc Rewritable媒体では、光ディスクドライブ装置がユニークなデータを記録して良い領域として、ディスクの内周、外周に、Drive Areaと呼ばれる領域が用意されている。Blu-ray Disc Rewritable媒体にて、本発明を適用する場合は、あらかじめ記録半径方向位置１０７、１０８、１０９、１１０のアドレス情報をドライブ制御システム３０２で管理をしておき、光ディスク媒体を排出するまでの間に上記アドレス情報を、Drive Area に記録をしておけば良い。これにより、次回該光ディスク媒体を使用する際には、登録しておいたアドレス情報を読み出すことが可能となり、再び特徴的な記録を行うことなく、前回特徴的な記録を行った場所を利用して、本発明の層移動処理が可能となる。
【００４３】
本例では、Blu-ray Disc Rewritable媒体を一例として挙げたが、本発明は、Blu-ray Disc Rewritable媒体に限ったことではない。
【００４４】
本発明を用いれば、矢印３０６のディスク半径方向のトラッキングサーボ制御を必要としないため、従来の方法より速く、目標層と到達層の確認が可能となる。本発明では、トラッキングサーボ制御をせずに、所望の半径方向位置における記録・未記録状態を確かめるため、各層における特徴的な記録を、多数のトラックに渡り記録をしておき、ディスク半径方向の既記録範囲を増加させることで、本発明の確実性が上がる。
【００４５】
又、上述した例では、層移動の際、既に述べた方法である、フォーカスエラー信号のＳ字カーブだけを頼りに合焦する方法を述べたが、本発明を応用することで、目標層と到達層のアンマッチを未然に防ぐことも可能である。つまり、層移動時に目標層に到達する確率を上昇させることができる。本例をフローチャート図５を用いて述べる。
【００４６】
方法としては、層移動時に、従来の方式と同様にＳ字カーブを観測しておくのと同時に、反射光の信号レベルも同時に観測しておく方法である。まずは、目標とする層において記録がなされている半径方向位置に、記録再生素子３０４を位置づける。（処理５０２）その後、目標層移動のために、記録再生素子３０４を矢印３０７軸方向に移動を開始する（処理５０３）。この移動の間に、フォーカスエラー信号のＳ字カーブと、反射光の信号レベルを同時に観測し、反射光の信号レベルが既記録レベルに変化した時に存在するＳ字カーブに合わせて合焦位置に合わせるフォーカスサーボ制御をすれば良い。（処理５０４）これにより、Ｓ字カーブの数え間違いなどによって、誤った層に合焦することが回避できるので、層移動処理の無駄なリトライ処理を省くことが可能となる。さらには、S字カーブの品質が劣化するような離れた層においても、本発明のようにS字カーブと反射光の信号レベルの両方を観測することによって、間の層を飛び越えて一気に目標層に到達する可能性が上昇する。
【００４７】
このように、本発明を利用することで、発明が解決しようとする課題の一つである、目標層と到達層の誤りを高速に判定することが解決することができ、層移動処理そのものの確実性の向上も期待できる。
【００４８】
次に、もう一つの課題である、現時点で発売されている光ディスクドライブ装置との互換性を解決するための方法を述べる。
【００４９】
ディスクの任意の一定範囲に、各層毎に特徴的な記録を施し、その範囲の任意の位置における記録・未記録状態を判定することにより、本発明は成り立つ。そのため、前述したように上記一定範囲は、もともと全層にて未記録の状態であることが前提であり、本発明による特徴的な記録を施した後は、今後繰り返しその範囲を使用し層移動を行うため、該特徴的な記録状態を保つ必要がある。
【００５０】
そこで、該特徴的な記録を施した一定範囲の部分において、データ記録動作が実行されないようにするため、本発明では、該一定範囲を、記録が不可能な領域であることを論理的に光ディスク媒体に登録する。一例を以下に示す。
【００５１】
たとえば、Blu-ray Disc Rewritable媒体では、光ディスク媒体の傷がある領域や欠陥がある領域を、データが安定に記録できない領域として、光ディスクドライブ装置が光ディスク媒体に登録することができ、該登録された領域は、光ディスクドライブ装置の記録を禁止するというシステムが構築されている。該欠陥管理システムを利用し、本発明にて特徴的に記録を行う範囲１０２を、欠陥領域を管理する DFL(Defect List)に登録する。これにより、特徴的に記録を行う範囲１０２は、論理的にさらに記録が不可能な領域として登録される。これにより、光ディスクドライブ装置は、ディスク挿入後に、ディスクに記録してあるDFLを見て欠陥領域を把握するため、該登録領域には記録を行わない。
【００５２】
本発明対応のドライブは、前述の例を使えば、Drive Areaに特徴的な記録をした領域のアドレス情報があるため、上記欠陥登録された領域であっても、Drive Areaに登録したアドレス情報に従い、層移動の為に該領域を利用することができる。
【００５３】
このようにすることで、他の光ディスクドライブ装置は、該特徴的に記録された領域を欠陥領域としてみなし、欠陥領域がある場合の対応をするだけであるので、システム状問題が起きることはない。又、該特徴的に記録された領域に対して記録を行うことがないため、本発明のために確保した特徴的に記録を行った範囲は、保護されることとなる。
【００５４】
上述のようにし、特徴的に記録した部分を欠陥領域として登録しておくことで、現時点で発売されている光ディスクドライブ装置においても、本発明による不具合が起きることなく、互換性を図ることができる。
【００５５】
本例では、Blu-ray Disc Rewritable媒体を一例として挙げたが、本発明は、Blu-ray Disc Rewritable媒体に限ったことではない。
【図面の簡単な説明】
【００５６】
【図１】本発明における光ディスク媒体への特徴的な記録方法の一例。        図１のA：光ディスク媒体上面図        図１のB：光ディスク媒体断面図        図１のC：図１のBにおける符号１０２部の拡大図
【図２】４層ある光ディスク媒体における、各層でのS字カーブの見え方。
【図３】一般的な光ディスクドライブ装置。
【図４】本発明における層移動方法フローチャートの一例。
【図５】本発明を応用した層移動方法フローチャートの一例。
【符号の説明】
【００５７】
１０１…    光ディスク媒体（多層ディスク）、
１０２…    光ディスク媒体における任意の半径方向の一定範囲、
１０３…    多層ディスクの層、
１０４…    多層ディスクの層、
１０５…    多層ディスクの層、
１０６…    多層ディスクの層、
１０７…    半径方向の一定範囲１０２内、層１０３にて記録した領域、
１０８…    半径方向の一定範囲１０２内、層１０４にて記録した領域、
１０９…    半径方向の一定範囲１０２内、層１０５にて記録した領域、
１１０…    半径方向の一定範囲１０２内、層１０６にて記録した領域、
２０１…    第一層に合焦させた時に得られる第一層付近のＳ字カーブ、
２０２…    第一層に合焦させた時に得られる第二層付近のＳ字カーブ、
２０３…    第一層に合焦させた時に得られる第三層付近のＳ字カーブ、
２０４…    第一層に合焦させた時に得られる第四層付近のS字カーブ、
３０１…    光ディスク媒体、
３０２…    ドライブ制御システム、
３０３…    スピンドル機構、
３０４…    記録再生素子、
３０５…    レーザ、
３０６…    ディスク半径方向、
３０７…    ディスク合焦軸方向、
４０１…    層移動開始処理、
４０２…    層移動における処理の一部、
４０３…    層移動における処理の一部、
４０４…    層移動における処理の一部、
４０５…    層移動における処理の一部、
４０６…    層移動における処理の一部、
４０７…    層移動終了処理、
５０１…    層移動開始処理、
５０２…    層移動における処理の一部、
５０３…    層移動における処理の一部、
５０４…    層移動における処理の一部、
５０５…    層移動終了処理。
【図１】
2008299946.tif 000003
【図２】
2008299946.tif 000004
【図３】
2008299946.tif 000005
【図４】
2008299946.tif 000006
【図５】
2008299946.tif 000007